(57)【要約】【課題】ＡＶ機器に用いられるディスク駆動装置に内蔵されるモータにおいて、コアへ巻線する巻線高さが巻き乱れることを防止し、規則正しくコイル線を整列に巻線することによって小型、薄型のモータを得ることを目的とする。【解決手段】ティース１の根元部分の近傍に周方向に延設される突部３を形成して、この突部３とティース１の根元部分との間に複数のティース間の渡り線を収容する領域を画成し主巻線２ａと渡り線２ｂを分離して巻線することで、整列巻線の整列性を確保し巻線高さを低く抑えられ、小型、薄型のモータが得られる。【選択図】図１
2008259322.tif 000002
【特許請求の範囲】
【請求項１】
コイル線と絶縁塗装が施され前記コイル線が巻装される複数のティースを有するコアとを備え、前記ティースの根元部分の近傍に周方向に延設される突部を形成して、この突部と前記ティースの根元部分との間に前記複数のティース間の渡り線を収容する領域を画成したモータ。
【請求項２】
コイル線と絶縁材からなるインシュレータを介して前記コイル線が巻装される複数のティースを有するコアとを備え、前記ティースの根元部分の近傍に周方向に延設される突部を前記インシュレータに形成して、この突部と前ティースの根元部分との間に前記複数のティース間の渡り線を収容する領域を画成したモータ。
【発明の詳細な説明】
【技術分野】
【０００１】
本発明は、主としてＡＶ機器に用いられるモータに関するものである。
【背景技術】
【０００２】
ＡＶ機器に用いられるディスク駆動装置には、小型、薄型化が求められ、それに内蔵されるモータへも小型、薄型化が求められてきた。本発明は、そのモータのコアおよび巻線組立に関するものである。
【０００３】
図３にディスク駆動装置に用いられるモータの構造を示す。図３においてシャフト３１、着磁されたマグネット３２、ディスクを保持するディスク保持機構３３、ディスクを受けるＴＴクッション３４と前記構成部品を固定したロータフレーム３５で構成されたロータ組立およびコア３６に絶縁材であるインシュレータ３７を固定し、コイル線３８を巻いて構成された巻線組立と前記シャフト３１を回転自在に支承する軸受３９、前記軸受３９を内径部に保持し前記巻線組立を外径部に保持するハウジング４０、巻線組立から出るコイル線３８を電気的に接続する基板４１を固定したプレート４２で構成されたステータ組立でモータが構成されている。（例えば特許文献１参照）
図４に従来の巻線組立の構造を示す。図４においてコア３６に絶縁材のインシュレータ３７を固定し、そのインシュレータ３７の上にコイル線３８を巻きつけている。（例えば特許文献２参照）
上記構成において動作を説明すると、小型薄型化が求められるモータのコアへ巻線する巻線組立は巻線高さが高くならないよう、規則正しくコイル線を整列させて巻線を行う整列巻線方式を採用してきた。
【特許文献１】特開２００２−１３６０３１号公報（第５−６頁、図１）
【特許文献２】特開２００６−２５５６２号公報（第２頁、図３、図４）
【発明の開示】
【発明が解決しようとする課題】
【０００４】
しかしながら、上記従来の構成では、コアのスロット間をコイル線が移動するときにできる渡り線が図５で示すように整列巻線の整列性を乱し巻線高さが高くなり、ロータ組立と巻線組立のギャップを確保するためにモータ高さが高くなるという課題があった。
【０００５】
本発明は、このような従来の課題を解決するものであり、小型で薄型のモータを提供することを目的とする。
【課題を解決するための手段】
【０００６】
上記課題を解決するために本発明は、コイル線と絶縁塗装が施され前記コイル線が巻装される複数のティースを有するコアとを備え、前記ティースの根元部分の近傍に周方向に延設される突部を形成して、この突部と前記ティースの根元部分との間に前記複数のティース間の渡り線を収容する領域を画成したモータである。
【０００７】
また、本発明は、コイル線と絶縁材からなるインシュレータを介して前記コイル線が巻装される複数のティースを有するコアとを備え、前記ティースの根元部分の近傍に周方向に延設される突部を前記インシュレータに形成して、この突部と前記ティースの根元部分との間に前記複数のティース間の渡り線を収容する領域を画成したモータである。
【発明の効果】
【０００８】
本発明の請求項１に記載の発明は、コイルの主巻線を巻くスペースと渡り線を巻くスペ
ースをコアに設けた突部により分離することによって、巻線組立の全高を低く抑え、小型薄型のモータを実現するという効果を有する。
【０００９】
請求項２に記載の発明は、コイルの主巻線を巻くスペースと渡り線を巻くスペースをインシュレータに設けた突部により分離することによって、巻線組立の全高を低く抑え、小型薄型のモータを実現するという効果を有する。
【発明を実施するための最良の形態】
【００１０】
以下本発明を実施するための最良の形態について、図面を参照して説明する。
【００１１】
（実施の形態１）
図１において１はコアのティースで、このティース１の根元部分の近傍に周方向に延設してコイル線２の線径±２０％程度の高さの突部３が形成されている。
【００１２】
ここで、コイル線２の主巻線２ａと渡り線２ｂを分離して巻く方法について説明する。主巻線２ａを突部３の外径側から巻き始め、巻き終わりの１ターンを突部３とティース１の根元部分との間の領域に巻いてから渡り線２ｂを次に巻線を施すティースの突部とこのティースの根元部分との間の領域に渡す。
【００１３】
かかる構成によれば、主巻線２ａを巻くスペースと渡り線２ｂを巻くスペースが分離されるので、巻き終わり部分のコイル線の浮きについても防止することができ、整列巻線の整列性を確保し巻線高さを低く抑えることができる。
【００１４】
（実施の形態２）
図２において１はコアのティースで絶縁材からなるインシュレータ４を介してコイル線２が巻装されている。このインシュレータ４には、ティース１の根元部分の近傍に周方向に延設してコイル線２の線径±２０％程度の高さの突部３が形成されている。コイル線２の主巻線２ａは、突部３の外径側から巻き始め、巻き終わりの１ターンを突部３とティース１の根元部分との間の領域に巻いてから渡り線２ｂを次に巻線を施すティースのインシュレータに形成された突部とこのティースの根元部分との間の領域に渡す。
【００１５】
かかる構成によれば、主巻線を巻くスペースと渡り線を巻くスペースが分離されるので、巻き終わり部分のコイル線の浮きについても防止することができ、整列巻線の整列性を確保し巻線高さを低く抑えることができる。
【産業上の利用可能性】
【００１６】
本発明に係るモータは、主巻線を巻くスペースと渡り線を巻くスペースをコアに設けた突部により分離することによって、巻線組立の全高を低く抑え、小型薄型のモータを実現するという効果を有し、ＡＶ機器に用いられるモータおよびディスク駆動装置に関して有用である。
【図面の簡単な説明】
【００１７】
【図１】本発明の実施の形態１によるコアの正面断面図および側面断面図
【図２】本発明の実施の形態２によるコアの正面断面図および側面断面図
【図３】ディスク駆動装置に用いられるモータの構造図
【図４】従来の巻線組立の側面図および側面断面図
【図５】従来の巻線組立の側面断面図および正面部分断面図
【符号の説明】
【００１８】
１  ティース
２、３８  コイル線
２ａ  主巻線
２ｂ  渡り線
３  突部
４、３７  インシュレータ
３１  シャフト
３２  マグネット
３３  ディスク保持装置
３４  ＴＴクッション
３５  ロータフレーム
３６  コア
３９  軸受
４０  ハウジング
４１  基板
４２  プレート
【図１】
2008259322.tif 000003
【図２】
2008259322.tif 000004
【図３】
2008259322.tif 000005
【図４】
2008259322.tif 000006
【図５】
2008259322.tif 000007